(57)【特許請求の範囲】
【請求項１】
消火水が貯留される貯水タンクと、
ガス配管を介して前記貯水タンクに接続され、前記貯水タンク内に不活性ガスを導入して前記消火水を加圧する高圧ガスボンベと、
送水管を介して前記貯水タンクに接続され、前記貯水タンクから送水される前記消火水を散水する消火用ヘッドと、を有し、
前記貯水タンク内の前記消火水を散水し終えても、前記高圧ガスボンベから前記不活性ガスが継続して供給されて前記消火用ヘッドより噴射される
消火設備において、
前記貯水タンクに設けられ、前記貯水タンク内の水位を検出する水位センサと接続されると共に、前記消火用ヘッドが設けられる消火区画の監視をする人検出手段と接続される制御盤と、を有し、
前記水位センサが低水位を検出すると共に、前記人検出手段が人を検出したときに、前記送水管に設けられる遮断弁を閉弁し、前記不活性ガスの噴射を停止することを特徴とする消火設備。
【発明の詳細な説明】
【技術分野】
【０００１】
本発明は消火設備に関し、特にスプリンクラヘッド等の消火用ヘッドを備えた消火設備に関するものである。
【背景技術】
【０００２】
一般的に、スプリンクラ消火設備は、水源である水槽にポンプが設けられており、該ポンプの駆動によって、スプリンクラヘッドまで消火水を送水している。（例えば、特許文献１参照。）
しかし、上記のようなスプリンクラ消火設備では、水槽が大きくなり、ポンプやメイン配管等が必要となるため、広い設置場所の確保やコスト増大等の問題があった。
【０００３】
そこで、大きな水槽やポンプを用いない、いわゆるパッケージ型の消火設備がある。その消火設備は、ガスボンベと貯水タンクとが加圧ラインによって接続され、貯水タンクと散水ヘッドとが散水ラインによって接続されている。そして、火災時には、貯水タンクに貯めている消火水を、ガスボンベから送出する不活性ガスによって加圧し、圧力水槽から消火水をスプリンクラヘッドまで送水する。（例えば、特許文献２参照。）
【先行技術文献】
【特許文献】
【０００４】
【特許文献１】特開平１１−１９７２６５号公報
【特許文献２】特開平０９−２３９０５９号公報
【発明の概要】
【発明が解決しようとする課題】
【０００５】
しかしながら、特許文献２のような消火設備では、水源が貯水タンクの中に貯められている消火水だけであり、火災の規模によっては、消火水が不足する場合が考えられる。
【０００６】
そこで、本発明は、かかる課題を解決するためになされたもので、火災の規模が大きく、消火水が足りなくなったときであっても、消火活動を継続することができる消火設備を提供することを目的とする。
【課題を解決するための手段】
【０００７】
本発明は、消火水が貯留される貯水タンクと、ガス配管を介して貯水タンクに接続され、貯水タンク内にガスを導入して消火水を加圧する高圧ガスボンベと、送水管を介して貯水タンクに接続され、貯水タンクから送水される消火水を散水する消火用ヘッドと、を有する消火設備において、貯水タンク内の消火水を散水し終えても、ガスが継続して供給されて消火用ヘッドより噴射され、消火用ヘッドが設けられる消火区画の監視をする人検出手段が人を感知したとき、ガスの噴射を停止することを特徴とするものである。
【発明の効果】
【０００８】
本発明は、貯水タンク内の消火水を散水し終えても、高圧ガスボンベからガスを貯水タンク内に導入するため、消火用ヘッドから散水をし終えた後も、不活性ガスを噴射するので、消火水の散水だけで消火できなかった火災を消火又は抑制することができる。
【図面の簡単な説明】
【０００９】
【図１】本発明に係る消火設備１００の概略図である。
【発明を実施するための形態】
【００１０】
図１に基づいて、本発明に係る消火設備１００について説明する。
なお、以下の説明において、火災感知器２２は火災を感知していないときを通常時又は監視時と称し、消火用ヘッド５は動作前を通常時又は監視時と称するものとする。
【００１１】
＜消火設備１００の構成＞
図１を参照して、本発明に係る消火設備１００について説明する。消火設備１００の各機器は、配管による接続と、信号線による電気的な接続がある。
【００１２】
消火設備１００は、主に貯水タンク１と、貯水タンク１とガス配管１１を介して接続される高圧ガスボンベ１０と、貯水タンク１と送水管３を介して接続される消火用ヘッド５と、からなる。
【００１３】
貯水タンク１は、内部に消火水が貯留されており、さらに、不活性ガスにより消火水は加圧された状態となっている。また、貯水タンク１には、制御盤２が併設されており、制御盤２が消火設備１００の各種制御を行う。
【００１４】
制御盤２は、後述する火災受信機２０、水位センサ９、接点付圧力計１６、人感センサ３０等の各種センサから出力される各種信号を受信して、遮断弁７や電磁弁１２を制御するものである。
【００１５】
水位センサ９は、貯水タンク１内に設けられており、制御盤２と電気的に接続されている。水位センサ９は、貯水タンク１内の水位を監視しており、水位が一定の水位より低下したとき（低水位を検出したとき）に、低水位信号を制御盤２に出力するものである。ここで、低水位とは、例えば、消火用ヘッド５から正常な散水分布を得られなくなる位まで水量が減少したときの水位であり、貯水タンク１内に消火水がほぼなくなった状態のことである。
【００１６】
送水管３は、一端が貯水タンク１に接続され、他端が消火用ヘッド５に接続され、貯水タンク２から送水される消火水が消火用ヘッド５に届くまでに通る流路となる。送水管３は、その途中に常時閉の遮断弁７が設けられており、遮断弁７の一次側の送水管３には消火水が加圧充水され、遮断弁７の二次側の送水管３は空配管となっている。
【００１７】
遮断弁７は、制御盤２と電気的に接続しており、制御盤２から出力される開弁信号又は閉弁信号を受信して、開弁、閉弁を行うものである。
【００１８】
消火用ヘッド５は、例えば、火災により開放する閉鎖型スプリンクラヘッドである。
【００１９】
高圧ガスボンベ１０は、内部に不活性ガスが高圧状態で封入されている。不活性ガスとは、例えば、窒素、アルゴン、ヘリウム、二酸化炭素等である
ガス配管１１は、一端が貯水タンク１に接続され、他端が高圧ガスボンベ１０に接続され、高圧ガスボンベ１０から送出される不活性ガスが貯水タンク１に届くまでの流路となる。ガス配管１１は、その途中に、高圧ガスボンベ１０に近い方から、電磁弁１２、圧力調整弁１４、接点付圧力計１６が設けられる。
【００２０】
電磁弁１２は、制御盤２と電気的に接続しており、火災時に制御盤２から出力される開放信号を受信して開弁するものである。電磁弁１２が開弁すると、高圧ガスボンベ１０から送出される不活性ガスが電磁弁１２を通過する。
【００２１】
圧力調整弁１４は、電磁弁１２を通過してきた不活性ガスの圧力を使用圧力まで減圧するものである。
【００２２】
接点付圧力計１６は、ガス配管１１内の圧力を計るもので、制御盤２と電気的に接続している。接点付圧力計１６は、ガス配管１１内が所定の圧力より低下したときに、低圧信号を制御盤２に出力するものである。
【００２３】
火災受信機２０は、火災感知器２２及び発信機２４と電気的に接続されていると共に、制御盤２とも電気的に接続している。火災感知器２２が火災を感知したとき、又は発信機２４が操作されたときには、火災感知器２２又は発信機２４は火災信号を火災受信機２０に出力する。火災信号を受信した火災受信機２０は、火災受信信号を制御盤２に出力する。
【００２４】
人感センサ３０は、消火用ヘッド５が設置される消火区画と同一の区画内に設置されており、制御盤２と電気的に接続している。人感センサ３０は、設置される消火区画内の人の存在を監視するものであり、人を感知したとき、人検出信号を制御盤２に出力するものである。
【００２５】
＜消火設備１００の動作及び効果＞
図１に基づいて、消火設備１００の火災時の動作について説明する。ここでは、火災により火災感知器２２又は発信機２４が、消火用ヘッド５より先に作動したものとして説明するが、消火用ヘッド５が先に作動したとしても消火設備１００の動作に支障はない。
【００２６】
先ず、火災によって火災感知器２２が作動する、又は火災を見つけた人が発信機２４を操作することにより、火災信号が火災受信機２０に出力される。火災信号を受信した火災受信機２０は、火災受信信号を制御盤２に出力する。
【００２７】
次に、火災受信信号を受信した制御盤２は、開弁信号を遮断弁７に出力し、遮断弁７を開弁する。遮断弁７が開弁すると、送水管３の遮断弁７の二次側に消火水が流入し、送水管３は加圧充水される。そして、火災によって消火用ヘッド５が開放されると、消火用ヘッド５は、送水管３内の加圧された消火水を散水する。消火用ヘッド５の散水が開始されると、加圧されている貯水タンク１の貯留水が送水管３を通り、消火用ヘッド５まで供給され、消火水にかかる圧力が低下する。
【００２８】
次に、貯水タンク１内の圧力が所定の圧力より低下すると、接点付圧力計１６から制御盤２に低圧信号を出力する。低圧信号を受信した制御盤２は、電磁弁１２に開放信号を出力して、電磁弁１２を開弁させる。すると、高圧ガスボンベ１０から圧力調整弁１４により所定の圧力に調圧された不活性ガスが、ガス配管１１を通り、貯水タンク１内に導入される。これにより、貯水タンク１内の消火水が加圧されるので、送水管３に消火水が供給され消火用ヘッド５から散水を継続することができる。
【００２９】
最後に、貯水タンク１内の消火水を散水し終えたとき、高圧ガスボンベ１０から不活性ガスの供給は継続され、送水管３を介して消火用ヘッド３から不活性ガスを噴射する。即ち、高圧ガスボンベ１０は、貯水タンク１内の消火水を全て放出しても余る量の不活性ガスを有している。これにより、消火水を散水し終えたときに、火災が継続していたとしても、不活性ガスの噴射により火災を抑制、消火することができる。
【００３０】
なお、貯水タンク１内の消火水を散水し終えたとき、水位センサ９により低水位信号が制御盤２に出力される。また、消火用ヘッド５及び人感センサ３０が設けられる消火区画に人が居た場合、人感センサ３０から人検出信号が制御盤２に出力される。制御盤２は、水位センサ９が出力する低水位信号と、人感センサ３０が出力する人検出信号を受信すると、遮断弁７に閉弁信号を出力し、遮断弁７を閉弁させる。これにより、貯水タンク１の消火水を全て散水した後、高圧ガスボンベ１０の不活性ガスを噴射しているときに、人が存在した場合、不活性ガスの噴射を停止し、人を窒息させないようにすることができる。
【００３１】
以上のように、本発明の実施の形態によれば、本発明は、以下の構成を備えたものである。
（１）本発明は、消火水が貯留される貯水タンク１と、ガス配管１１を介して貯水タンク１に接続され、貯水タンク１内に不活性ガスを導入して消火水を加圧する高圧ガスボンベ１０と、送水管３を介して貯水タンク１に接続され、貯水タンク１から送水される消火水を散水する消火用ヘッド５と、を有する消火設備１００において、貯水タンク１内の消火水を散水し終えても、高圧ガスボンベ１０から不活性ガスを貯水タンク１内に導入することを特徴とするものである。
【００３２】
（２）また、本発明は（１）において、火災受信機２０を備え、該火災受信機２０から出力される火災受信信号により、送水管３に設けられる常時閉の遮断弁７を開放することを特徴とするものである。
【００３３】
（３）また、本発明は（２）において、火災受信機２０の火災受信信号の出力と、消火用ヘッド５の感熱動作とにより、消火用ヘッド５から散水することを特徴とするものである。
【００３４】
（４）また、本発明は（２）又は（３）において、貯水タンク１に設けられる制御盤２は、貯水タンク１内の水位を検出する水位センサ９と、消火用ヘッド５が設けられる消火区画の監視をする人検出手段（人感センサ３０等）と接続し、水位センサ９が低水位を検出すると共に、人検出手段が人を検出したときに、遮断弁７を閉止することを特徴とするものである。
【００３５】
上記の構成を備えたことにより、本発明に係る消火設備１００は、貯水タンク１内の消火水を散水し終えても、高圧ガスボンベ１０から不活性ガスを貯水タンク１内に導入するため、消火用ヘッド５から消火水を散水し終えた後も、不活性ガスを噴射するので、消火水の散水だけで消火できなかった火災を消火することができる。
【００３６】
また、消火区画に人が存在した場合、人感センサ３０等の人検出手段と水位センサ９により遮断弁７を閉弁するので、人が窒息することがない。
【００３７】
なお、制御盤２は、人感センサ３０が出力する人検出信号と水位センサ９が出力する低水位信号とを受信すると、遮断弁７を閉弁するとして説明したが、人がいる可能性がない消火区画であれば、遮断弁７を閉じる必要がなく、人感センサ３０及び水位センサ９を設けなくても良い。この場合、貯水タンク１内の消火水を全て散水し終えても、消火用ヘッド５から高圧ガスボンベ１０内の不活性ガスを全て放出できるので、消火効率が向上する。
【００３８】
また、人感センサ３０の代わりに、赤外線カメラ等で人検出信号を出力しても良い。
また、不活性ガスが二酸化炭素の場合、消火設備１００に二酸化炭素濃度計をさらに設け、二酸化炭素濃度が一定値より高まった場合に遮断弁７を閉弁しても良い。
【００３９】
また、制御盤２は、火災受信機２０が出力する火災受信信号を受信して、遮断弁７を開弁するとして説明したが、それに加えて電磁弁１２を開弁しても良い。その場合、接点付圧力計１６を設ける必要はなくなる。
【符号の説明】
【００４０】
１  貯水タンク、２  制御盤、３  送水管、５  消火用ヘッド、７  遮断弁、９  水位センサ、１０  高圧ガスボンベ、１１  ガス配管、１２  電磁弁、１４  圧力調整弁、１６  接点付圧力計、２０  火災受信機、２２  火災感知器、２４  発信機、３０  人感センサ、１００  消火設備。
【図１】
0006499035.tif 000002